(57)【特許請求の範囲】
【請求項１】
順次走査し、かつ２４Ｈｚのフレーム周波数を持つ第１の種類の映像信号、もしくは飛び越し走査撮像され、かつ３０Ｈｚのフレーム周波数を持つ第２の種類の映像信号、もしくは２４Ｈｚのフレーム周波数で撮像された源映像信号が３０Ｈｚのフレーム周波数を持つ飛び越し走査映像に変換された第３の種類の映像信号のいずれかからなる主映像信号と、前記主映像信号が前記第１の種類の映像信号か前記第２の種類の映像信号または第３の種類の映像信号かを判別する判別フラグとが、記録媒体もしくは転送媒体によって転送される転送情報から、前記主映像信号を飛び越し走査映像信号と順次走査映像信号として再生出力する映像信号再生装置であって、前記主映像信号が前記第１の種類の映像信号の場合に毎秒６０フィールドの飛び越し走査映像信号に変換される際に繰り返し出力されるべきフィールドを示す第１のタイミング信号を出力し、前記主映像信号が前記第２の種類の映像信号または前記第３の映像信号の場合には何も信号を発生しない第１のタイミング信号発生手段と、前記判別フラグにより前記主映像信号が前記第１の種類の映像信号か前記第２の種類の映像信号または前記第３の種類の映像信号かを判別する第１の素材判別手段と、前記第１の素材判別手段が前記主映像信号は前記第１の種類の映像信号であると判別した場合には前記主映像信号を前記第１のタイミング信号発生手段出力に応じて毎秒６０フィールドの飛び越し走査映像信号に変換し、前記第１の素材判別手段が前記主映像信号は前記第２の種類の映像信号または前記第３の種類の映像信号であると判別した場合には前記主映像信号をそのまま出力する飛び越し走査映像信号再生手段と、前記飛び越し走査映像信号再生手段出力を２フィールド分蓄えるフィールドメモリーと、前記飛び越し走査映像信号再生手段出力と前記フィールドメモリー出力との差を検出するフィールド差検出手段と、前記第１の素材判別手段出力もしくは前記第１のタイミング信号発生手段出力と前記フィールド差検出手段出力とから前記主映像信号が前記第１の種類の映像信号か前記第２の種類の映像信号か前記第３の種類の映像信号かを判別する第２の素材判別手段と、前記第２の素材判別手段が前記主映像信号を前記第３の種類の映像信号であると判別した場合に前記フィールド差検出手段出力によって、前記飛び越し走査映像信号に於ける前記第３の映像信号の２４Ｈｚのフレーム周波数で撮像された源映像信号のフレームの切れ目を示す第２のタイミング信号を発生する第２のタイミング信号発生手段と、前記第２の素材判別手段出力に応じて挿入走査信号の発生方法を変え、かつ、前記第２の素材判別手段が前記主映像信号を前記第３の種類の映像信号と判別した場合には、前記第２のタイミング信号に応じて前記毎秒６０フィールドの飛び越し走査映像信号の２フィールド分を合成し、順次走査映像信号を得る順次走査変換手段とを備えた事を特徴とする映像信号再生装置。
【請求項２】
第２の素材判別手段は、第１の素材判別手段の出力もしくは第１のタイミング発生手段の状態が第１の種類の映像信号の状態の時に前記第１の種類の映像信号であると判別し、前記第１の素材判別手段の出力もしくは前記第１のタイミング発生手段の状態が第２の種類の映像信号もしくは第３の種類の映像信号の状態の時に、フィールド差検出手段が特定周期でフィールド一致を検出している場合には前記第３の種類の映像信号であると判別し、前記第１の素材判別手段の出力もしくは前記第１のタイミング発生手段の状態が前記第２の種類の映像信号もしくは前記第３の種類の映像信号の時に、前記フィールド差検出手段が特定周期でフィールド一致を検出していない場合には前記第２の種類の映像信号であると判別する事を特徴とする請求項１記載の映像信号再生装置。
【請求項３】
第２の素材判別手段は、第１の素材判別手段の出力もしくは第１のタイミング発生手段の状態が第２の種類の映像信号もしくは第３の種類の映像信号の時に、フィールド差検出手段が５フィールド毎にフィールド一致を検出している場合には前記第３の種類の映像信号であると判別し、前記第１の素材判別手段の出力もしくは前記第１のタイミング発生手段の状態が第２の種類の映像信号もしくは前記第３の種類の映像信号の時に、前記フィールド差検出手段が５フィールド毎にフィールド一致を検出していない場合には前記第２の種類の映像信号であると判別する事を特徴とする請求項２記載の映像信号再生装置。
【発明の詳細な説明】
【０００１】
【発明の属する技術分野】
本発明はＤＶＤ（デジタルビデオディスク）等の光ディスクやビデオテープ、衛星放送、地上波放送など、映画素材やビデオ素材等様々な映像情報を転送して映像信号を順次走査再生するための映像信号再生装置に関する。
【０００２】
【従来の技術】
従来、ＤＶＤや衛星放送等の映像出力はテレビ受像器で再生できるよう飛び越し走査で出力されるのが普通であるが、近年、マルチスキャン対応のモニタやプロジェクタ、またはコンピュータ用モニタ等の普及に伴ってこれらの飛び越し走査映像信号を順次走査信号に変換する映像信号再生装置が導入されつつある。
【０００３】
図１７は従来の映像信号再生装置の構成を示すブロック図である。図１７において、１はディスクで、フィルム素材映像を電気的信号に変換した映像信号もしくはビデオ信号を素材とする映像信号のいずれかからなる主映像信号と、主映像信号がフィルム素材かビデオ素材かを示す判別フラグが、予め記録に適した信号形態に符号化され、変調されて記録されている。２はピックアップで、ディスク１に記録された信号を電気的信号に変換する。３はディスク回転装置で、ディスク１を再生に適した回転数で回転させる。４は飛び越し走査映像信号再生回路で、ディスク１に記録された主映像信号を復調し、復号し、飛び越し走査映像信号として出力する。５は第１のメモリーで、飛び越し走査映像信号が再生される際にバッファメモリーとして働く。６はＮＴＳＣエンコーダで、飛び越し走査映像信号をＮＴＳＣビデオフォーマットに変換し出力する。７は飛び越し走査映像出力端子で、これより再生された飛び越し走査映像出力が出力される。８は第１の素材判別回路で、ピックアップ２の出力より、ディスク１に記録された判別フラグを読みとる。９はフィールドリピート信号発生回路で、主映像信号がフィルム素材の場合に、飛び越し走査映像信号再生回路４が主映像信号を飛び越し走査映像信号に変換する際のフィールドリピート信号を発生する。１０は順次走査変換回路で、飛び越し走査映像信号再生回路４の出力を順次走査映像信号に変換し出力する。１１は第２のメモリーで、１フィールド分の映像信号を記憶できる能力を持ち、順次走査変換回路１０の動作に用いられる。１２はＤ／Ａコンバータで、順次走査変換回路１０の出力をアナログ値に変換し出力する。１３は順次走査映像出力端子で、これより図示されない映像表示装置に順次走査映像信号が出力される。
【０００４】
以上の様に構成された従来の映像信号再生装置についてさらにその動作を説明する。
【０００５】
図１８は従来の映像信号再生装置の飛び越し走査映像信号と順次走査映像信号の構造を示す模式図である。飛び越し走査映像信号では、１／６０秒で１フィールドの画像が構成され、それが２枚合わされて１フレームの画像となる。２枚のフィールドの縦画素数はそれぞれ２４０であり、互いの画素はそれぞれの画素の縦方向の間を埋めあう様な配置になる。順次走査信号では１フレームが１／６０秒で縦画素数は４８０である。
【０００６】
共に、垂直周波数は１／６０秒であり、水平走査線数は飛び越し走査映像信号に比べ順次走査映像信号は倍になるので、水平走査周波数は飛び越し走査映像信号が約１５．７５ＫＨｚであるのに対して、順次走査映像信号では約３１．５ＫＨｚになる。
【０００７】
図１９は従来の映像信号再生装置のディスク１に記録される映像信号の構造を示す信号模式図である。図１９に示す様に、ディスク１に記録される映像信号には２つの形態がある。即ち、図１９に示すａ）はフィルム素材であり、この場合には、元となる素材は毎秒２４コマの絵で構成されるフィルム画像であり、各コマ毎に横７２０ドット、縦４８０ドットの画像として圧縮されディスク１に記録されている。図１９に示すｂ）はビデオ素材画像であり、この場合には元となる素材は毎秒３０フレーム／６０フィールドの飛び越し走査画像である。各フレームは横７２０ドット、縦４８０ドットの画像であるが飛び越し走査されるので、各フィールドでは横７２０ドット縦２４０ドットの画像になり、圧縮されディスク１に記録される。図１９に示す様に、ディスク１には主映像信号と同時に主映像信号がフィルム素材かビデオ素材かを示す判別フラグが記録されている。
【０００８】
図２０は従来の映像信号再生装置のフィルム素材ディスクにおける再生信号を示す信号模式図である。
【０００９】
ディスク１に記録された映像信号の素材がフィルムである場合には、図２０に示す様に、記録情報として毎秒２４コマの横７２０ドット、縦４８０ドットの画像が記録されている。飛び越し走査映像信号再生回路４は、ピックアップ２の出力よりディスク１に記録されている信号を読み取る。第１の素材判別回路８はピックアップ２の出力より判別フラグを読みとり主映像信号の種類を判別し、判別信号として、飛び越し走査映像信号再生回路４とフィールドリピート信号発生回路９に出力する。第１の素材判別回路８の出力により、飛び越し走査再生回路４はディスク１に記録されている主映像信号がフィルム素材である事を認識する。図２０に示す様に、ディスク１にはフィルム素材映像がコマ番号が…、ｎ、ｎ＋１、ｎ＋２、ｎ＋３、…の順で記録されている。このように記録されたフィルム素材信号を、飛び越し走査映像信号再生回路４は飛び越し走査映像に変換して出力する。これは、一般に家庭で鑑賞するための画像表示装置としてテレビジョンモニターが最も多く使われており、その表示形式が飛び越し走査であるからであり、またテレビジョンモニターは毎秒３０フレーム／６０フィールドの動画を扱う様に設計されているために、同時に飛び越し走査映像信号再生回路４は毎秒２４コマの映像を毎秒３０フレーム／６０フィールドの飛び越し走査映像に変換して出力する。飛び越し走査映像信号再生回路４は図２０の飛び越し走査再生映像信号に示す様に、記録情報の各コマをｏｄｄとｅｖｅｎの２つの飛び越し走査フィールド画像に分け、更に、フィールドリピート信号発生回路９が出力する５フィールド毎に繰り返すフィールドリピート信号に応じて、１コマ毎に先頭のフィールドを最後のフィールドの後に繰り返して表示する事により、毎秒２４コマのフィルム映像を毎秒３０フレーム／６０フィールドの飛び越し走査画像に変換して出力する。第１のメモリー５は、飛び越し走査映像信号再生回路４が画像を再生する際のバッファメモリーとして働く。飛び越し走査映像信号再生回路４は、この様にして生成した飛び越し走査映像信号のコマの区切りを図１２に示す様に、フィールドリピート信号として、順次走査変換回路１０に出力する。
【００１０】
この様にして再生された飛び越し走査映像信号をＮＴＳＣエンコーダ６がＮＴＳＣ標準ビデオ信号にして、飛び越し走査映像出力端子７を介して出力する。飛び越し走査映像出力端子７にはテレビモニター（図示せず）が接続され、使用者はそれにより飛び越し走査映像に変換されたフィルム素材映像を鑑賞する事ができる。
【００１１】
更に、飛び越し走査映像信号再生回路４は、飛び越し走査映像信号を順次走査変換回路１０に入力する。順次走査変換回路１０はフィールドリピート信号発生回路９のフィールドリピート信号出力の有無により、入力されたディジタル映像信号がフィルム素材である事を認識する。即ち、主映像がフィルム素材である時にはフィールドリピート信号発生回路９が出力するフィールドリピート信号が図１２に示す様に、５フィールド周期で変化するので、その変化を検出し、主映像がフィルム素材であるとして順次走査映像変換を行う。フィルム素材の場合には各素材のコマ毎に、元々横７２０ドット、縦４８０ドットの画像が横７２０ドット縦２４０ドットの２つのフィールドに分割されているので、これを再度合成すれば良い。従って、順次走査変換回路１０は図２０に示すフィールドリピート信号により、入力されるディジタル映像信号の素材となったフィルム信号のコマの切り替わりタイミングを検出する事ができ、このフィールドリピート信号に応じて、順次走査変換回路１０は、図２０に示す順次走査変換回路入力の先頭フィールドを第２のメモリー１１に格納した後、第２フィールドを第２のメモリー１１に格納し、両者の情報を１ライン毎に倍速で読み出す事により、図２０に示す順次走査変換回路出力を得る。変換された映像信号はＤ／Ａコンバータ１２でアナログ信号に変換され、順次走査映像信号出力端子１３から出力される。順次走査映像信号出力端子１３には順次走査映像信号用テレビモニター（図示せず）が接続され、使用者はそれにより順次走査映像に戻されたフィルム素材映像を鑑賞する事ができる。
【００１２】
図２１は従来のビデオ素材ディスクにおける再生信号を示す信号模式図である。
【００１３】
ディスク１に記録された映像信号の素材がビデオである場合には、図２１に示す様に、記録情報として毎秒３０フレーム／６０フィールドの飛び越し走査画像で、各フィールドは横７２０ドット、縦２４０ドットの画像が記録されている。飛び越し走査映像信号再生回路４は、ピックアップ２の出力よりディスク１に記録されている信号を読み取る。第１の素材判別回路８はピックアップ２の出力より判別フラグを読みとり主映像信号の種類を判別し、判別信号として、飛び越し走査映像信号再生回路４とフィールドリピート信号発生回路９に出力する。図２１に示す様に、ディスク１にはビデオ素材映像がフレーム番号が…、ｍ、ｍ＋１、ｍ＋２、ｍ＋３、ｍ＋４、…の順で記録されている。このように記録されたビデオ素材信号を飛び越し走査映像信号再生回路４は、図２１の飛び越し走査再生映像信号に示す様にそのまま飛び越し走査映像信号として出力する。第１のメモリー５は、飛び越し走査映像信号再生回路４が画像を再生する際のバッファメモリーとして働く。
【００１４】
この様にして再生された飛び越し走査映像信号をＮＴＳＣエンコーダ６がＮＴＳＣ標準ビデオ信号にして、飛び越し走査映像出力端子７を介して出力する。飛び越し走査映像出力端子７には、テレビモニター（図示せず）が接続され、使用者はそれにより飛び越し走査映像に変換されたビデオ素材映像を鑑賞する事ができる。
【００１５】
更に、飛び越し走査映像信号再生回路４は、飛び越し走査映像信号を順次走査変換回路１０に入力する。順次走査変換回路１０はフィールドリピート信号発生回路９のフィールドリピート信号出力の有無により、入力されたディジタル映像信号がビデオ素材である事を認識する。即ち、主映像がビデオ素材である時にはフィールドリピート信号発生回路９が出力するフィールドリピート信号が図２１に示す様に、５フィールド周期で変化しないので、それを検出し、主映像がビデオ素材であるとして順次走査映像変換を行う。順次走査変換回路１０は、ビデオ素材の場合には、フィールド映像情報とその前に位置するフィールドの２つのフィールド情報を用いて順次走査映像信号を生成する。この時、順次走査変換回路１０は図２１に示す順次走査変換回路入力の前のフィールドとの間での動きが小さい画素に関して前のフィールドのデータも用いて縦補間し、前のフィールドとの間での動きが大きい画素に関しては同一フィールド内の上下の画素データにより縦補間データを生成する事により図２１に示す順次走査変換回路出力を得る。変換された映像信号はＤ／Ａコンバータ１２でアナログ信号に変換され、順次走査映像信号出力端子１３から出力される。順次走査映像信号出力端子１３には順次走査映像信号用テレビモニター（図示せず）が接続され、使用者はそれにより順次走査映像に変換されたビデオ素材映像を鑑賞する事ができる。
【００１６】
図２２は従来の映像信号再生装置のフィルム素材で、一部分がビデオ信号として記録されたディスクにおける再生信号を示す信号模式図である。
【００１７】
フィルム素材の信号源であっても、一部分がビデオ信号として記録されている場合がある。これは、ディスク１に記録される前段階で、素材が一旦ビデオ等に記録されていたものを、再度２４コマの情報に戻す作業をする際に、一部分がビデオのまま残り、これがそのままディスク１に記録されている様な状態である。即ち、ディスク１に記録される情報を生成する際に、一旦６０フィールドのビデオに記録された素材から、５フィールド毎に一致する事を検出してビデオに記録された状態で元絵のコマの切れ目を検出し、２４コマの情報に戻して符号化した後にディスクに記録するために、ビデオ上の情報にノイズ等が発生すると、５フィールド毎の一致検出がうまくできず。そのままビデオの情報として残ってしまったものがそのままディスクに記録されている場合である。
【００１８】
図２２において、記録情報のｎコマ目、ｎ＋１コマ目はフィルム素材として記録されており、ｎ＋２コマ目からｎ＋６コマ目まではビデオ情報として記録されている。更にｎ＋７コマ目以降はフィルム素材として記録されている事を示している。この様なディスクを従来の映像情報再生装置において再生すると、ｎコマ目、ｎ＋１コマ目、ｎ＋２コマ目はフィルム情報として処理されるが、ｎ＋３コマ目のｅｖｅｎフィールドにて、本来あるはずのフィールドリピート信号が検出されない為に、順次走査変換回路１０はビデオ素材であると判別し、以降、ｎ＋７コマ目までビデオ素材として順次走査変換処理を行い、ｎ＋８コマ目で再度フィルム素材として順次走査変換を行い始める。即ち、図２２のＡに示す部分においては、本来、素材がフィルムであるにもかかわらず、ビデオの素材として順次走査変換回路１０が動作する為、最適化された順次走査変換ができない。
【００１９】
【発明が解決しようとする課題】
この映像信号再生装置においては、上述したように一部が毎秒６０フィールドのビデオ信号として記録されてしまったフィルム素材の映像信号に対して、最適化された順次走査変換ができず、画質を劣化してしまうという問題点を持っていた。そのため、一部が毎秒６０フィールドのビデオ信号として記録されてしまったフィルム素材の映像信号に対しても、正しくフィルム素材に適した順次走査変換処理のできる映像信号再生装置の導入が要求されている。
【００２０】
本発明は、映像信号の素材の種類を判別するのに、素材判別回路出力と同時に飛び越し走査映像信号と２フィールド前の飛び越し走査映像信号とのフィールド差検出回路出力とから主映像信号が第１の種類の映像信号か第２の種類の映像信号かを判別する事によって、一部が毎秒６０フィールドのビデオ信号として記録されてしまったフィルム素材の映像信号に対しても、正しくフィルム素材に適した順次走査変換処理のできる映像信号再生装置の提供を目的とする。
【００２１】
【課題を解決するための手段】
この課題を解決するために本発明は、フィルム素材を飛び越し走査映像信号に変換する際に発生するフィールドリピート信号や主映像信号の種類を判別する判別フラグによって素材の種類を判別する手段と、一度飛び越し走査映像信号に変換された映像信号を用いて、素材信号がフィルムであるかビデオであるかを判別する手段をもち、その両手段の判別結果をもって素材の判別を行う事により、一部が毎秒６０フィールドのビデオ信号として記録されてしまったフィルム素材の映像信号に対しても、正しくフィルム素材に適した順次走査変換処理のできる映像信号再生装置が得られる。
【００２２】
【発明の実施の形態】
本発明の請求項１に記載の発明は、主映像信号が第１の種類の映像信号の場合に毎秒６０フィールドの飛び越し走査映像信号に変換される際に繰り返し出力されるべきフィールドを示す第１のタイミング信号を出力し、前記主映像信号が前記第２の種類の映像信号または前記第３の映像信号の場合には何も信号を発生しない第１のタイミング信号発生手段と、判別フラグにより主映像信号が第１の種類の映像信号か第２の種類の映像信号または第３の種類の映像信号かを判別する第１の素材判別手段と、第１の素材判別手段が主映像信号は第１の種類の映像信号であると判別した場合には主映像信号を第１のタイミング信号発生手段出力に応じて毎秒６０フィールドの飛び越し走査映像信号に変換し、第１の素材判別手段が主映像信号は第２の種類の映像信号または第３の種類の映像信号であると判別した場合には主映像信号をそのまま出力する飛び越し走査映像信号再生手段と、飛び越し走査映像信号再生手段出力を２フィールド分蓄えるフィールドメモリーと、飛び越し走査映像信号再生手段出力とフィールドメモリー出力との差を検出するフィールド差検出手段と、第１の素材判別手段出力もしくは第１のタイミング信号発生手段出力とフィールド差検出手段出力とから主映像信号が第１の種類の映像信号か第２の種類の映像信号か第３の種類の映像信号かを判別する第２の素材判別手段と、第２の素材判別手段が主映像信号を第３の種類の映像信号であると判別した場合にフィールド差検出手段出力によって、飛び越し走査映像信号に於ける第３の映像信号の２４Ｈｚのフレーム周波数で撮像された源映像信号のフレームの切れ目を示す第２のタイミング信号を発生する第２のタイミング信号発生手段と、第２の素材判別手段出力に応じて挿入走査信号の発生方法を変え、かつ、第２の素材判別手段が主映像信号を第３の種類の映像信号と判別した場合には、第２のタイミング信号に応じて毎秒６０フィールドの飛び越し走査映像信号の２フィールド分を合成し、順次走査映像信号を得る順次走査変換手段とを備えた事により、フィールド差検出手段が主映像信号の２フィールド前との画像の一致を周期的に検出すれば、第２の素材判別手段が主映像信号の素材はフィルムであると判別し、順次走査変換を行う構成としたので、一部が毎秒６０フィールドのビデオ信号として記録されてしまったフィルム素材の映像信号に対しても、正しくフィルム素材に適した順次走査変換処理のできる映像信号再生装置を提供する
本発明の請求項２に記載の発明は、請求項１に記載のものに関し、第２の素材判別手段は、第１の素材判別手段の出力もしくは第１のタイミング発生手段の状態が第１の種類の映像信号の状態の時に第１の種類の映像信号であると判別し、第１の素材判別手段の出力もしくは第１のタイミング発生手段の状態が第２の種類の映像信号もしくは第３の種類の映像信号の状態の時に、フィールド差検出手段が特定周期でフィールド一致を検出している場合には第３の種類の映像信号であると判別し、第１の素材判別手段の出力もしくは第１のタイミング発生手段の状態が第２の種類の映像信号もしくは第３の種類の映像信号の時に、フィールド差検出手段が特定周期でフィールド一致を検出していない場合には第２の種類の映像信号であると判別する事を特徴としているので、主映像信号と共に転送される判別フラグの状態が第１の種類の映像信号の状態から第２の種類の映像信号もしくは第３の種類の映像信号の状態に変化しても、フィールド差検出手段が主映像信号の２フィールド前との画像の一致を特定周期で検出すれば、第２の素材判別手段が主映像信号が第３の種類の映像信号、即ち、素材がフィルム素材の映像信号であると判別し、順次走査変換を行うため、一部が毎秒６０フィールドのビデオ信号として記録されてしまったフィルム素材の映像信号に対しても、正しくフィルム素材に適した順次走査変換処理のできる映像信号再生装置を提供する。
【００２３】
本発明の請求項３に記載の発明は、請求項２に記載のものに関し、第２の素材判別手段は、第１の素材判別手段の出力もしくは第１のタイミング発生手段の状態が第２の種類の映像信号もしくは第３の種類の映像信号の時に、フィールド差検出手段が５フィールド毎にフィールド一致を検出している場合には第１３の種類の映像信号であると判別し、第１の素材判別手段の出力もしくは第１のタイミング発生手段の状態が第２の種類の映像信号もしくは第３の種類の映像信号の時に、フィールド差検出手段が５フィールド毎にフィールド一致を検出していない場合には第２の種類の映像信号であると判別する事を特徴としているので、主映像信号と共に転送される判別フラグの状態が第１の種類の映像信号の状態から第２の種類の映像信号もしくは第３の種類の映像信号の状態に変化しても、フィールド差検出手段が主映像信号の２フィールド前との画像の一致を５フィールド毎に発生することを検出すれば、第２の素材判別手段が主映像信号が第３の種類の映像信号、即ち、素材がフィルム素材の映像信号であると判別し、順次走査変換を行うため、一部が毎秒６０フィールドのビデオ信号として記録されてしまったフィルム素材の映像信号に対しても、正しくフィルム素材に適した順次走査変換処理のできる映像信号再生装置を提供する。
【００２４】
以下、本発明の実施の形態について、図面を用いて説明する。
（実施の形態１）
図１は本発明の実施の形態１の映像信号再生装置の構成を示すブロック図である。図１において、１はディスクで、フィルム素材映像を電気的信号に変換した映像信号もしくはビデオ信号を素材とする映像信号のいずれかからなる主映像信号と、主映像信号がフィルム素材かビデオ素材かを示す判別フラグが、予め記録に適した信号形態に符号化され、変調されて記録されている。２はピックアップで、ディスク１に記録された信号を電気的信号に変換する。３はディスク回転装置で、ディスク１を再生に適した回転数で回転させる。４は飛び越し走査映像信号再生回路で、ディスク１に記録された主映像信号を復調し、復号し、飛び越し走査映像信号として出力する。５は第１のメモリーで、飛び越し走査映像信号が再生される際にバッファメモリーとして働く。６はＮＴＳＣエンコーダで、飛び越し走査映像信号をＮＴＳＣビデオフォーマットに変換し出力する。７は飛び越し走査映像出力端子で、これより再生された飛び越し走査映像出力が出力される。８は第１の素材判別回路で、ピックアップ２の出力より、ディスク１に記録された判別フラグを読みとる。９はフィールドリピート信号発生回路で、主映像信号がフィルム素材の場合に、飛び越し走査映像信号再生回路４が主映像信号を飛び越し走査映像信号に変換する際のフィールドリピート信号を発生する。１１は第２のメモリーで、１フィールド分の映像信号を記憶できる能力を持ち、順次走査変換回路１７（後述）の動作に用いられる。１２はＤ／Ａコンバータで、順次走査変換回路１７の出力をアナログ値に変換し出力する。１３は順次走査映像出力端子で、ここを介して映像表示装置（図示せず）に順次走査映像信号が出力される。１４は第２の素材判別回路で、フィールドリピート信号発生回路９の出力と、第２の一致検出回路１５の出力からディスク１に記録されている映像信号の種類を判別し順次走査変換回路１７を制御する。１５は一致検出回路で、飛び越し走査映像信号再生回路４の出力と、第３のメモリー１６の出力を比較する。１６は第３のメモリーで、飛び越し走査映像信号再生回路４の出力を２フィールド分遅延させて出力する。１７は順次走査変換回路で、飛び越し走査映像信号再生回路４の出力を順次走査映像信号に変換し出力する。１８はリピート周期信号発生回路で、第２の一致検出回路１５の出力に応じて、順次走査変換回路１７に順次走査変換に必要なフィールドリピート信号を与える。
【００２５】
以上の様に構成された本発明の実施の形態１の映像信号再生装置についてさらにその動作を説明する。
【００２６】
図２は本発明の実施の形態１の飛び越し走査映像信号と順次走査映像信号の構造を示す模式図である。従来の技術において、図１８を用いて説明したのと同様に、飛び越し走査映像信号では、１／６０秒で１フィールドの画像が構成され、それが２枚合わされて１フレームの画像となる。２枚のフィールドの縦画素数はそれぞれ２４０であり、互いの画素はそれぞれの画素の縦方向の間を埋めあう様な配置になる。順次走査信号では１フレームが１／６０秒で縦画素数は４８０である。
【００２７】
共に、垂直周波数は１／６０秒であり、水平走査線数は飛び越し走査映像信号に比べ順次走査映像信号は倍になるので、水平走査周波数は飛び越し走査映像信号が約１５．７５ＫＨｚであるのに対して、順次走査映像信号では約３１．５ＫＨｚになる。
【００２８】
図３は本発明の実施の形態１のディスク１に記録される映像信号の構造を示す信号模式図である。図３に示す様に、ディスク１に記録される映像信号には２つの形態がある。即ち、図３に示すａ）はフィルム素材であり、この場合には、元となる素材は毎秒２４コマの絵で構成されるフィルム画像であり、各コマ毎に横７２０ドット、縦４８０ドットの画像として圧縮されディスク１に記録されている。図３に示すｂ）はビデオ素材画像であり、この場合には元となる素材は毎秒３０フレーム／６０フィールドの飛び越し走査画像である。各フレームは横７２０ドット、縦４８０ドットの画像であるが飛び越し走査されるので、各フィールドでは横７２０ドット縦２４０ドットの画像になり、圧縮されディスク１に記録される。図３に示す様にディスク１には主映像信号と同時に主映像信号がフィルム素材かビデオ素材かを示す判別フラグが記録されている。
【００２９】
図４は本発明の実施の形態１のフィルム素材ディスクにおける再生信号を示す信号模式図である。
【００３０】
ディスク１に記録された映像信号の素材がフィルムである場合には、図４に示す様に、記録情報として毎秒２４コマの横７２０ドット、縦４８０ドットの画像が記録されている。飛び越し走査映像信号再生回路４は、ピックアップ２の出力よりディスク１に記録されている信号を読み取る。第１の素材判別回路８はピックアップ２の出力より判別フラグを読みとり主映像信号の種類を判別し、飛び越し走査映像信号再生回路４とフィールドリピート信号発生回路９に出力する。第１の判別回路８の出力により、飛び越し走査再生回路４はディスク１に記録されている主映像信号がフィルム素材である事を認識する。図４に示す様に、ディスク１にはフィルム素材映像がコマ番号が…、ｎ、ｎ＋１、ｎ＋２、ｎ＋３、…の順で記録されている。このように記録されたフィルム素材信号を飛び越し走査映像信号再生回路４は飛び越し走査映像に変換して出力する。これは、一般に家庭で鑑賞するための画像表示装置としてテレビジョンモニターが最も多く使われており、その表示形式が飛び越し走査であるからであり、またテレビジョンモニターは毎秒３０フレーム／６０フィールドの動画を扱う様に設計されているために、同時に飛び越し走査映像信号再生回路４は毎秒２４コマの映像を毎秒３０フレーム／６０フィールドの飛び越し走査映像に変換して出力する。飛び越し走査映像信号再生回路４は図４の飛び越し走査再生映像信号に示す様に、記録情報の各コマをｏｄｄとｅｖｅｎの２つの飛び越し走査フィールド画像に分け、更に、フィールドリピート信号発生回路９が出力する５フィールド毎に繰り返すフィールドリピート信号に応じて、１コマ毎に先頭のフィールドを最後のフィールドの後に繰り返して表示する事により、毎秒２４コマのフィルム映像を毎秒３０フレーム／６０フィールドの飛び越し走査画像に変換して出力する。第１のメモリー５は、飛び越し走査映像信号再生回路４が画像を再生する際のバッファメモリーとして働く。
【００３１】
この様にして再生された飛び越し走査映像信号をＮＴＳＣエンコーダ６がＮＴＳＣ標準ビデオ信号にして、飛び越し走査映像出力端子７を介して出力する。飛び越し走査映像出力端子７にはテレビモニター（図示せず）が接続され、使用者はそれにより飛び越し走査映像に変換されたフィルム素材映像を鑑賞する事ができる。
【００３２】
更に、飛び越し走査映像信号再生回路４は、飛び越し走査映像信号を順次走査変換回路１７と一致検出回路１５と、第３のメモリー１６とに入力する。第３のメモリー１６は、入力された飛び越し走査映像信号に２フィールドの遅延を与え、一致検出回路１５に出力する。
【００３３】
図５は、本発明の実施の形態１のフィルム素材ディスクにおける一致検出回路の動作を示す信号模式図である。
【００３４】
一致検出回路１５では、映像信号の素材がフィルム素材であるのかビデオ素材であるのかが判別される。即ち、入力される映像信号がフィルムからビデオに変換されたものであるならば、元々１コマ毎に先頭のフィールドを最後のフィールドの後に繰り返して出力されているので、５フィールドに１回全く同じフィールドが出現する事になる。従って、一致検出回路１５は第３のメモリー１６の出力と、飛び越し走査映像信号再生回路４の出力とのフィールド毎の各画素毎のデータ差が、予め決められたしきい値以下になる画素数がある値以上になる事を検出して、フィールドの一致を検出すれば、この一致検出は図５のフィールド比較情報に示されるものになり、このように５フィールド毎に”１”になる。従って、一致検出回路１５はフィールド比較情報が５フィールド毎に変化するのを検出した場合に、この映像信号の素材はフィルムであると判別する。
【００３５】
図６は本発明の実施の形態１の第２の素材判別回路の判別方法を示すフローチャートである。
【００３６】
図６に示す様に、第２の素材判別回路１４は、フィールドリピート信号発生回路９の出力と、一致検出回路１５の出力によって映像信号の素材がフィルム素材であるのかビデオ素材であるのかを判別する。即ち、フィールドリピート信号が発生している間は、フィルム素材であると判別し、フィールドリピート信号が発生している状態から発生していない状態に遷移しても、一致検出回路がフィルム素材と判別している間はフィルム素材であると判別する。
【００３７】
リピート周期信号発生回路１８では、一致検出回路１５で検出された５フィールド毎のフィールド比較情報から、図４に示すリピート周期信号を発生する。これは、フィールド比較情報は、あくまで、フィールド毎に、そのフィールドと２フィールド前の情報の一致度合いを示すものであり、一致、不一致を判別するしきい値と、映像情報によっては、一致が検出されない場合も生じる為、フィールド比較情報が欠落した場合にも、５フィールド周期のリピート情報を発生させるためのフライホイール回路の役割をリピート周期信号発生回路１８に持たせたものである。
【００３８】
順次走査変換回路１７は、第２の素材判別回路１４が主映像がフィルム素材であると判別した場合にはリピート周期信号発生回路１８の発生するリピート周期信号に応じて順次走査映像変換を行う。即ち、フィルム素材の場合には各素材のコマ毎に、元々横７２０ドット、縦４８０ドットの画像が横７２０ドット縦２４０ドットの２つのフィールドに分割されているので、これを再度合成すれば良い。従って、順次走査変換回路１７は図４に示すリピート周期信号により、入力されるディジタル映像信号の素材となったフィルム信号のコマの切り替わりタイミングを検出する事ができる。このリピート周期信号に応じて、順次走査変換回路１７は、図４に示す順次走査変換回路入力の先頭フィールドを第２のメモリー１１に格納した後、第２フィールドを第２のメモリー１１に格納し、両者の情報を１ライン毎に倍速で読み出す事により、図４に示す順次走査変換回路出力を得る。変換された映像信号はＤ／Ａコンバータ１２でアナログ信号に変換され、順次走査映像信号出力端子１３から出力される。順次走査映像信号出力端子１３には順次走査映像信号用テレビモニター（図示せず）が接続され、使用者はそれにより順次走査映像に戻されたフィルム素材映像を鑑賞する事ができる。
【００３９】
図７は本発明の実施の形態１のビデオ素材ディスクにおける再生信号を示す信号模式図である。
【００４０】
ディスク１に記録された映像信号の素材がビデオ素材である場合には、図７に示す様に、記録情報として毎秒３０フレーム／６０フィールドの飛び越し走査画像で、各フィールドは横７２０ドット、縦２４０ドットの画像が記録されている。飛び越し走査映像信号再生回路４は、ピックアップ２の出力よりディスク１に記録されている信号を読み取る。第１の素材判別回路８はピックアップ２の出力より判別フラグを読みとり主映像信号の種類を判別し、飛び越し走査映像信号再生回路４とフィールドリピート信号発生回路９に出力する。図７に示す様にディスク１にはビデオ素材映像がフレーム番号が…、ｍ、ｍ＋１、ｍ＋２、ｍ＋３、ｍ＋４、…の順で記録されている。このように記録されたビデオ素材信号を飛び越し走査映像信号再生回路４は、図７の飛び越し走査再生映像信号に示す様にそのまま飛び越し走査映像信号として出力する。第１のメモリー５は、飛び越し走査映像信号再生回路４が画像を再生する際のバッファメモリーとして働く。
【００４１】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたビデオ素材映像を鑑賞する事ができる。
【００４２】
一致検出回路１５では、映像信号の素材がフィルム素材であるのかビデオ素材であるのかが判別される。即ち、入力される映像信号がビデオ素材であるならば５フィールドに１回全く同じフィールドが出現する事にならない。従ってこの周期性が出ない事により一致検出回路１５は、飛び越し走査映像がフィルム素材でないと判別する。
【００４３】
第２の素材判別回路１４は、フィールドリピート信号発生回路９の出力と、一致検出回路１５の出力によって映像信号の素材がフィルム素材であるのかビデオ素材であるのかを判別する。図６に示す様に第２の素材判別回路１４は、フィールドリピート信号が発生していない期間で、一致検出回路がフィルム素材と判別していない期間はビデオ素材であると判別する。飛び越し走査映像信号再生回路４は、飛び越し走査映像信号を順次走査変換回路１７に入力する。順次走査変換回路１７は第２の素材判別回路１４の出力により、入力されたディジタル映像信号がビデオ素材である事を認識する。従って、順次走査変換回路１７は、主映像がビデオ素材であるとして順次走査映像変換を行う。即ち、ビデオ素材の場合にはフィールド映像情報とその前に位置するフィールドの２つのフィールド情報を用いて順次走査映像信号を生成する。この時、順次走査変換回路１７は図７に示す順次走査変換回路入力の前のフィールドとの間での動きが小さい画素に関して前のフィールドのデータも用いて縦補間し、前のフィールドとの間での動きが大きい画素に関しては同一フィールド内の上下の画素データにより縦補間データを生成する事により図７に示す順次走査変換回路出力を得る。変換された映像信号はＤ／Ａコンバータ１２でアナログ信号に変換され、順次走査映像信号出力端子１３から出力される。順次走査映像信号出力端子１３には順次走査映像信号用テレビモニター（図示せず）が接続され、使用者はそれにより順次走査映像に変換されたビデオ素材映像を鑑賞する事ができる。
【００４４】
図８は本発明の実施の形態１のフィルム素材で、一部分がビデオ信号として記録されたディスクにおける再生信号を示す信号模式図である。
【００４５】
フィルム素材の信号源であっても、一部分がビデオ信号として記録されている場合がある。これは、ディスク１に記録される前段階で、素材が一旦ビデオ等に記録されていたものを、再度２４コマの情報に戻す作業をする際に、一部分がビデオのまま残り、これがそのままディスク１に記録されている様な状態である。即ち、ディスク１に記録される情報を生成する際に、一旦６０フィールドのビデオに記録された素材から、５フィールド毎に一致する事を検出してビデオに記録された状態で元絵のコマの切れ目を検出し、２４コマの情報に戻して符号化した後にディスクに記録する為に、ビデオ上の情報にノイズ等が発生すると、５フィールド毎の検出がうまくできず、そのままビデオの情報として残ってしまったものがそのままディスクに記録されている場合である。
【００４６】
図８において記録情報のｎコマ目、ｎ＋１コマ目はフィルム素材として記録されており、ｎ＋２コマ目からｎ＋６コマ目まではビデオ情報として記録され、更にｎ＋７コマ目以降はフィルム素材として記録されている事を示している。
【００４７】
この様なディスクを本発明の実施の形態１の映像信号再生装置において再生すると、ｎコマ目、ｎ＋１コマ目、ｎ＋２コマ目はフィルム情報として処理されるが、ｎ＋３コマ目のｅｖｅｎフィールドにて、本来あるはずのフィールドリピート信号が検出されない、しかし、元々がフィルム素材が３０フレーム／６０フィールドに変換された映像信号であるので、５フィールドに１回フィールド情報の一致が起きる特徴は保存されている。
【００４８】
一致検出回路１５は、第３のメモリー１６の出力と飛び越し走査映像信号再生回路４の出力とのフィールド毎の各画素毎のデータ差が、予め決められたしきい値以下になる画素の数を計数して、その計数値がある設定値以上になることからフィールドの一致を検出する。この一致検出は図８のフィールド比較情報に示されるものになり、このように５フィールド毎に”１”になる。従って、一致検出回路１５はフィールド比較情報が５フィールド毎に変化するのを検出した場合に、この映像信号の素材はフィルムであると判別する。
【００４９】
第２の素材判別回路１４は、フィールドリピート信号発生回路９の出力と、一致検出回路１５の出力によって映像信号の素材がフィルム素材であるのかビデオ素材であるのかを判別する。図６に示す様に、第２の素材判別回路１４は、フィールドリピート信号が発生している期間から発生していない期間に遷移しても、一致検出回路がフィルム素材と判別している期間はフィルム素材であると判別する。従って、第２の素材判別回路１９は、図８において、ｎ＋２コマ目からｎ＋６コマ目においてもフィルム素材であると判別する。順次走査変換回路１７は、第２の素材判別回路１４が主映像がフィルム素材であると判別した場合にはリピート周期信号発生回路１８の発生するリピート周期信号に応じてして順次走査映像変換を行う。即ち、フィルム素材の場合には各素材のコマ毎に、元々横７２０ドット、縦４８０ドットの画像が横７２０ドット縦２４０ドットの２つのフィールドに分割されているので、これを再度合成すれば良い。従って、順次走査変換回路１７は図８のリピート周期信号により、入力されるディジタル映像信号の素材となったフィルム信号のコマの切り替わりタイミングを検出する事ができる。このフィールドリピート信号に応じて、順次走査変換回路１７は、図８に示す順次走査変換回路入力の先頭フィールドを第２のメモリー１１に格納した後、第２フィールドを第２のメモリー１１に格納し、両者の情報を１ライン毎に倍速で読み出す事により、図８に示す順次走査変換回路出力を得る。変換された映像信号はＤ／Ａコンバータ１２でアナログ信号に変換され、順次走査映像信号出力端子１３から出力される。順次走査映像信号出力端子１３には順次走査映像信号用テレビモニター（図示せず）が接続され、使用者はそれにより順次走査映像にもどされたフィルム素材映像を鑑賞する事ができる。
【００５０】
従って、本発明の実施の形態１の映像信号再生装置では、一部が毎秒６０フィールドのビデオ信号として記録されてしまったフィルム素材の映像信号に対しても、正しくフィルム素材に適した順次走査変換処理のできる映像信号再生装置が得られる。
【００５１】
（実施の形態２）
図９は本発明の実施の形態２の映像信号再生装置の構成を示すブロック図である。図９において、１はディスクで、フィルム素材映像を電気的信号に変換した映像信号もしくはビデオ信号を素材とする映像信号のいずれかからなる主映像信号と主映像信号がフィルム素材かビデオ素材かを示す判別フラグが、予め記録に適した信号形態に符号化され、変調されて記録されている。２はピックアップで、ディスク１に記録された信号を電気的信号に変換する。３はディスク回転装置で、ディスク１を再生に適した回転数で回転させる。４は飛び越し走査映像信号再生回路で、ディスク１に記録された主映像信号を復調し、復号し、飛び越し走査映像信号として出力する。５は第１のメモリーで、飛び越し走査映像信号が再生される際にバッファメモリーとして働く。６はＮＴＳＣエンコーダで、飛び越し走査映像信号をＮＴＳＣビデオフォーマットに変換し出力する。７は飛び越し走査映像出力端子で、これより再生された飛び越し走査映像出力が出力される。８は第１の素材判別回路で、ピックアップ２の出力より、ディスク１に記録された判別フラグを読みとる。９はフィールドリピート信号発生回路で、主映像信号がフィルム素材の場合に、飛び越し走査映像信号再生回路４が主映像信号を飛び越し走査映像信号に変換する際のフィールドリピート信号を発生する。１１は第２のメモリーで、１フィールド分の映像信号を記憶できる能力を持ち、順次走査変換回路１７の動作に用いられる。１２はＤ／Ａコンバータで、順次走査変換回路１７の出力をアナログ値に変換し出力する。１３は順次走査映像出力端子で、これより図示されない映像表示装置に順次走査映像信号が出力される。１９は第２の素材判別回路で、第１の素材判別回路８の出力と、第２の一致検出回路１５の出力からディスク１に記録されている映像信号の種類を判別し順次走査変換回路１７を制御する。１５は一致検出回路で、飛び越し走査映像信号再生回路４の出力と、第３のメモリー１６の出力を比較する。１６は第３のメモリーで、飛び越し走査映像信号再生回路４の出力を２フィールド分遅延させて出力する。１７は順次走査変換回路で、飛び越し走査映像信号再生回路４の出力を順次走査映像信号に変換し出力する。１８はリピート周期信号発生回路で、第２の一致検出回路１５の出力に応じて、順次走査変換回路１７に順次走査変換に必要なフィールドリピート信号を与える。
【００５２】
以上の様に構成された本発明の実施の形態２の映像信号再生装置についてさらにその動作を説明する。
【００５３】
図１０は本発明の実施の形態２の飛び越し走査映像信号と順次走査映像信号の構造を示す模式図で、前述した図２，図１８と同様なものである。飛び越し走査映像信号では、１／６０秒で１フィールドの画像が構成され、それが２枚合わされて１フレームの画像となる。２枚のフィールドの縦画素数はそれぞれ２４０であり、互いの画素はそれぞれの画素の縦方向の間を埋めあう様な配置になる。順次走査信号では１フレームが１／６０秒で縦画素数は４８０である。
【００５４】
共に、垂直周波数は１／６０秒であり、水平走査線数は飛び越し走査映像信号に比べ順次走査映像信号は倍になるので、水平走査周波数は飛び越し走査映像信号が約１５．７５ＫＨｚであるのに対して、順次走査映像信号では約３１．５ＫＨｚになる。
【００５５】
図１１は本発明の実施の形態２のディスク１に記録される映像信号の構造を示す信号模式図である。図１１に示す様に、ディスク１に記録される映像信号には２つの形態がある。即ち、図１１に示すａ）はフィルム素材であり、この場合には、元となる素材は毎秒２４コマの絵で構成されるフィルム画像であり、各コマ毎に横７２０ドット、縦４８０ドットの画像として圧縮されディスク１に記録されている。図１１に示すｂ）はビデオ素材画像であり、この場合には元となる素材は毎秒３０フレーム／６０フィールドの飛び越し走査画像である。各フレームは横７２０ドット、縦４８０ドットの画像であるが飛び越し走査されるので、各フィールドでは横７２０ドット縦２４０ドットの画像になり、圧縮されディスク１に記録される。図１１に示す様にディスク１には主映像信号と同時に主映像信号がフィルム素材かビデオ素材かを示す判別フラグが記録されている。
【００５６】
図１２は本発明の実施の形態２のフィルム素材ディスクにおける再生信号を示す信号模式図である。
【００５７】
ディスク１に記録された映像信号の素材がフィルムである場合には、図１２に示す様に、記録情報として毎秒２４コマの横７２０ドット、縦４８０ドットの画像が記録されている。飛び越し走査映像信号再生回路４は、ピックアップ２の出力よりディスク１に記録されている信号を読み取る。第１の素材判別回路８はピックアップ２の出力より判別フラグを読みとり主映像信号の種類を判別し、飛び越し走査映像信号再生回路４とフィールドリピート信号発生回路９と第２の素材判別回路１９とに出力する。第１の判別回路８の出力により、飛び越し走査再生回路４はディスク１に記録されている主映像信号がフィルム素材である事を認識する。図１２に示す様にディスク１にはフィルム素材映像がコマ番号が…、ｎ、ｎ＋１、ｎ＋２、ｎ＋３、…の順で記録されている。このように記録されたフィルム素材信号を飛び越し走査映像信号再生回路４は飛び越し走査に映像に変換して出力する。これは、一般に家庭で鑑賞するための画像表示装置としてテレビジョンモニターが、最も多く使われており、その表示形式が飛び越し走査であるからであり、またテレビジョンモニターは毎秒３０フレーム／６０フィールドの動画を扱う様に設計されているために、同時に飛び越し走査映像信号再生回路４は毎秒２４コマの映像を毎秒３０フレーム／６０フィールドの飛び越し走査映像に変換して出力する。飛び越し走査映像信号再生回路４は、図１２の飛び越し走査再生映像信号に示す様に、記録情報の各コマをｏｄｄとｅｖｅｎの２つの飛び越し走査フィールド画像に分け、更に、フィールドリピート信号発生回路９が出力する５フィールド毎に繰り返すフィールドリピート信号に応じて、１コマ毎に先頭のフィールドを最後のフィールドの後に繰り返して表示する事により、毎秒２４コマのフィルム映像を毎秒３０フレーム／６０フィールドの飛び越し走査画像に変換して出力する。第１のメモリー５は、飛び越し走査映像信号再生回路４が画像を再生する際のバッファメモリーとして働く。
【００５８】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたフィルム素材映像を鑑賞する事ができる。
【００５９】
更に、飛び越し走査映像信号再生回路４は、飛び越し走査映像信号を順次走査変換回路１７と一致検出回路１５と、第３のメモリー１６とに入力する。第３のメモリー１６は、入力された飛び越し走査映像信号に２フィールドの遅延を与え、一致検出回路１５に出力する。
【００６０】
図１３は、本発明の実施の形態２のフィルム素材ディスクにおける一致検出回路の動作を示す信号模式図である。
【００６１】
一致検出回路１５では、映像信号の素材がフィルム素材であるのかビデオ素材であるのかが判別される。即ち、入力される映像信号がフィルムからビデオに変換されたものであるならば、元々１コマ毎に先頭のフィールドを最後のフィールドの後に繰り返して出力されているので、５フィールドに１回全く同じフィールドが出現する事になる。従って、一致検出回路１５は第３のメモリー１６の出力と、飛び越し走査映像信号再生回路４の出力とのフィールド毎の各画素毎のデータ差が、予め決められたしきい値以下になる画素数がある値以上になる事を検出して、フィールドの一致を検出すれば、この一致検出は図１３のフィールド比較情報に示されるものになり、このように５フィールド毎に”１”になる。従って、一致検出回路１５はフィールド比較情報が５フィールド毎に変化するのを検出した場合に、この映像信号の素材はフィルムであると判別する。
【００６２】
図１４は本発明の実施の形態２の第２の素材判別回路の判別方法を示すフローチャートである。
【００６３】
図１４に示す様に、第２の素材判別回路１９は、第１の素材判別回路８の出力と、一致検出回路１５の出力によって映像信号の素材がフィルム素材であるのかビデオ素材であるのかを判別する。即ち、第１の素材判別回路８がフィルム素材と判別している間は、フィルム素材であると判別し、第１の素材判別回路８がフィルム素材と判別している状態からビデオ素材と判別している状態に遷移しても、一致検出回路がフィルム素材と判別している間はフィルム素材であると判別する。
【００６４】
リピート周期信号発生回路１８では、一致検出回路１５で検出された５フィールド毎のフィールド比較情報から、図１２に示すリピート周期信号を発生する。これは、フィールド比較情報は、あくまで、フィールド毎に、そのフィールドと２フィールド前の情報の一致度合いを示す物であり、一致、不一致を判別するしきい値と、映像情報によっては、一致が検出されない場合も生じる為、フィールド比較情報が欠落した場合にも、５フィールド周期のリピート情報を発生させるためのフライホイール回路の役割をリピート周期信号発生回路１８に持たせた物である。
【００６５】
順次走査変換回路１７は、第２の素材判別回路１９が主映像がフィルム素材であると判別した場合にはリピート周期信号発生回路１８の発生するリピート周期信号に応じてして順次走査映像変換を行う。即ち、フィルム素材の場合には各素材のコマ毎に、元々横７２０ドット、縦４８０ドットの画像が横７２０ドット縦２４０ドットの２つのフィールドに分割されているので、これを再度合成すれば良い。従って、順次走査変換回路１７は図１２に示すリピート周期信号により、入力されるディジタル映像信号の素材となったフィルム信号のコマの切り替わりタイミングを検出する事ができる。このリピート周期信号に応じて、順次走査変換回路１７は、図１２に示す順次走査変換回路入力の先頭フィールドを第２のメモリー１１に格納した後、第２フィールドを第２のメモリー１１に格納し、両者の情報を１ライン毎に倍速で読み出す事により、図１２に示す順次走査変換回路出力を得る。変換された映像信号はＤ／Ａコンバータ１２でアナログ信号に変換され、順次走査映像信号出力端子１３から出力される。順次走査映像信号出力端子１３には図示されない順次走査映像信号用テレビモニターが接続され、使用者はそれにより順次走査映像にもどされたフィルム素材映像を鑑賞する事ができる。
【００６６】
図１５は本発明の実施の形態２のビデオ素材ディスクにおける再生信号を示す信号模式図である。
【００６７】
ディスク１に記録された映像信号の素材がビデオである場合には図１５に示す様に、記録情報として毎秒３０フレーム／６０フィールドの飛び越し走査画像で、各フィールドは横７２０ドット、縦２４０ドットの画像が記録されている。飛び越し走査映像信号再生回路４は、ピックアップ２の出力よりディスク１に記録されている信号を読み取る。第１の素材判別回路８はピックアップ２の出力より判別フラグを読みとり主映像信号の種類を判別し、飛び越し走査映像信号再生回路４とフィールドリピート信号発生回路９に出力する。図１５に示す様にディスク１にはビデオ素材映像がフレーム番号が…、ｍ、ｍ＋１、ｍ＋２、ｍ＋３、ｍ＋４、…の順で記録されている。このように記録されたビデオ素材信号を飛び越し走査映像信号再生回路４は、図１５の飛び越し走査再生映像信号に示す様にそのまま飛び越し走査映像信号として出力する。第１のメモリー５は、飛び越し走査映像信号再生回路４が画像を再生する際のバッファメモリーとして働く。
【００６８】
この様にして再生された飛び越し走査映像信号をＮＴＳＣエンコーダ６がＮＴＳＣ標準ビデオ信号にして、飛び越し走査映像出力端子７に出力する。飛び越し走査映像出力端子７にはテレビモニター（図示せず）が接続され、使用者はそれにより飛び越し走査映像に変換されたビデオ素材映像を鑑賞する事ができる。
【００６９】
一致検出回路１５では、映像信号の素材がフィルム素材であるのかビデオ素材であるのかが判別される。即ち、入力される映像信号がビデオ素材であるならば５フィールドに１回全く同じフィールドが出現する事にならない。従ってこの周期性が出ない事により一致検出回路１５は、飛び越し走査映像がフィルム素材でないと判別する。
【００７０】
第２の素材判別回路１９は、第１の素材判別回路８の出力と、一致検出回路１５の出力によって映像信号の素材がフィルム素材であるのかビデオ素材であるのかを判別する。図１４に示す様に第２の素材判別回路１４は、第１の素材判別回路８がビデオ素材と判別している期間で、一致検出回路１５がビデオ素材と判別している期間はビデオ素材であると判別する。飛び越し走査映像信号再生回路４は、飛び越し映像信号を順次走査変換回路１７に入力する。順次走査変換回路１７は第２の素材判別回路１９の出力により、入力されたディジタル映像信号がビデオ素材である事を認識する。従って、順次走査変換回路１７は、主映像がビデオ素材であるとして順次走査映像変換を行う。即ち、ビデオ素材の場合にはフィールド映像情報とその前に位置するフィールドの２つのフィールド情報を用いて順次走査映像信号を生成する。この時、順次走査変換回路１７は図１５に示す順次走査変換回路入力の前のフィールドとの間での動きが小さい画素に関して前のフィールドのデータも用いて縦補間し、前のフィールドとの間での動きが大きい画素に関しては同一フィールド内の上下の画素データにより縦補間データを生成する事により図１５に示す順次走査変換回路出力を得る。変換された映像信号はＤ／Ａコンバータ１２でアナログ信号に変換され、順次走査映像信号出力端子１３から出力される。順次走査映像信号出力端子１３には順次走査映像信号用テレビモニター（図示せず）が接続され、使用者はそれにより順次走査映像に変換されたビデオ素材映像を鑑賞する事ができる。
【００７１】
図１６は本発明の実施の形態２のフィルム素材で、一部分がビデオ信号として記録されたディスクにおける再生信号を示す信号模式図である。
【００７２】
フィルム素材の信号源であっても、一部分がビデオ信号として記録されている場合がある。これは、ディスク１に記録される前段階で、素材が一旦ビデオ等に記録されていたものを、再度２４コマの情報に戻す作業をする際に、一部分がビデオのまま残り、これがそのままディスク１に記録されている様な状態である。即ち、ディスク１に記録される情報を生成する際に、一旦６０フィールドのビデオに記録された素材から、５フィールド毎に一致する事を検出してビデオに記録された状態で元絵のコマの切れ目を検出し、２４コマの情報に戻して符号化した後にディスクに記録する為に、ビデオ上の情報にノイズ等が発生すると、５フィールド毎の検出がうまくできず。そのままビデオの情報として残ってしまったものがそのままディスクに記録されている場合である。
【００７３】
図１６において記録情報のｎコマ目、ｎ＋１コマ目はフィルム素材として記録されており、ｎ＋２コマ目からｎ＋６コマ目まではビデオ情報として記録されている。更にｎ＋７コマ目以降はフィルム素材として記録されている事を示している。
【００７４】
この様なディスクを本発明の実施の形態２の映像信号再生装置において再生すると、ｎコマ目、ｎ＋１コマ目、ｎ＋２コマ目はフィルム情報として処理されるが、ｎ＋３コマ目のｅｖｅｎフィールドにて、本来あるはずのフィールドリピート信号が検出されない、しかし、元々がフィルム素材が３０フレーム／６０フィールドに変換された映像信号であるので、５フィールドに１回フィールド情報の一致が起きる特徴は保存されている。
【００７５】
一致検出回路１５は、第３のメモリー１６の出力と飛び越し走査映像信号再生回路４の出力とのフィールド毎の各画素毎のデータ差が、予め決められたしきい値以下になる画素の数を計数してその計数値がある設定値以上になる事で、フィールドの一致を検出する。この一致検出は図１６のフィールド比較情報に示されるものになり、このように５フィールド毎に”１”になる。従って、一致検出回路１５はフィールド比較情報が５フィールド毎に変化するのを検出した場合に、この映像信号の素材はフィルムであると判別する。
【００７６】
第２の素材判別回路１９は、第１の素材判別回路８の出力と、一致検出回路１５の出力によって映像信号の素材がフィルム素材であるのかビデオ素材であるのかを判別する。図１４に示す様に、第２の素材判別回路１４は、第１の素材判別回路８がフィルム素材と判別している状態からビデオ素材と判別している状態に遷移しても、一致検出回路１５がフィルム素材と判別している期間はフィルム素材であると判別する。従って、第２の素材判別回路１９は、図１６において、ｎ＋２コマ目からｎ＋６コマ目においてもフィルム素材であると判別する。順次走査変換回路１７は、第２の素材判別回路１９が主映像がフィルム素材であると判別した場合にはリピート周期信号発生回路１８の発生するリピート周期信号に応じてして順次走査映像変換を行う。即ち、フィルム素材の場合には各素材のコマ毎に、元々横７２０ドット、縦４８０ドットの画像が横７２０ドット縦２４０ドットの２つのフィールドに分割されているので、これを再度合成すれば良い。従って、順次走査変換回路１７は図１６の示すリピート周期タイミング信号により、入力されるディジタル映像信号の素材となったフィルム信号のコマの切り替わりタイミングを検出する事ができる。このリピート周期信号に応じて、順次走査変換回路１７は、図１６に示す順次走査変換回路入力の先頭フィールドを第２のメモリー１１に格納した後、第２フィールドを第２のメモリー１１に格納し、両者の情報を１ライン毎に倍速で読み出す事により、図１６に示す順次走査変換回路出力を得る。変換された映像信号はＤ／Ａコンバータ１２でアナログ信号に変換され、順次走査映像信号出力端子１３から出力される。順次走査映像信号出力端子１３には順次走査映像信号用テレビモニター（図示せず）が接続され、使用者はそれにより順次走査映像にもどされたフィルム素材映像を鑑賞する事ができる。
【００７７】
従って、本発明の実施の形態２の映像信号再生装置では、一部が毎秒６０フィールドのビデオ信号として記録されてしまったフィルム素材の映像信号に対しても、正しくフィルム素材に適した順次走査変換処理のできる映像信号再生装置が得られる。
【００７８】
なお、以上の説明において、第１のメモリー、第２のメモリー、第３のメモリーは機能説明のため独立に記したが、これらは全て半導体メモリーで実現でき、回路構成によってそれら全てもしくは任意の２つを１つの半導体メモリーで実現する事は容易である。
【００７９】
また、上述の実施の形態では、信号の流れの説明が容易な電子回路というハードウエア構成のもので説明したが、必ずしもこれに限るものではなく、ピックアップ２以降の構成要素のすべてあるいは一部分をソフトウエアで構成し、マイクロプロセッサに導入したものでも同様の作用・効果を奏する。
【００８０】
さらに、上述の実施の形態では映像信号再生装置を、ＤＶＤ等のディスクから主映像信号と転送情報を再生するディスク装置で構成した例で説明したが、同様に主映像信号と転送信号を再生（あるいは復調）するその他の映像信号再生装置、例えばテープ装置や、ハードディスク装置、衛星放送、地上波放送、ケーブルテレビ放送等の放送受信機についても同様に実施可能である。もちろん、ディスク、テープ、放送波が主映像情報、転送情報以外の音声情報等をも有していても何らさしつかえないことはいうまでもない。
【００８１】
また、上述の実施の形態で、順次走査映像出力のみに限れば、必ずしもＮＴＳＣエンコーダ６、飛び越し走査映像出力端子７は不必要になる。しかし、この場合、いわゆるＶＨＳ方式のビデオフォーマットのような飛び越し走査方式のみの記録装置に入力して記録するようなことはできない。
【００８２】
【発明の効果】
以上のように本発明によれば、フィルム素材を飛び越し走査映像信号に変換する際に発生するフィールドリピート信号や主映像信号の種類を判別する判別フラグによって素材の種類を判別する手段と、一度飛び越し走査映像信号に変換された映像信号を用いて、素材信号がフィルムであるかビデオであるかを判別する手段をもち、その両手段の判別結果をもって素材の判別を行う事により、一部が毎秒６０フィールドのビデオ信号として記録されてしまったフィルム素材の映像信号に対しても正しくフィルム素材に適した順次走査変換処理のできる映像信号再生装置が得られる。
【図面の簡単な説明】
【図１】本発明の実施の形態１の映像信号再生装置の構成を示すブロック図
【図２】同、飛び越し走査映像信号と順次走査映像信号の構造を示す模式図
【図３】同、ディスク１に記録される映像信号の構造を示す信号模式図
【図４】同、フィルム素材ディスクにおける再生信号を示す信号模式図
【図５】同、フィルム素材ディスクにおける一致検出回路の動作を示す信号模式図
【図６】同、第２の素材判別回路の判別方法を示すフローチャート
【図７】同、ビデオ素材ディスクにおける再生信号を示す信号模式図
【図８】同、フィルム素材で、一部分がビデオ信号として記録されたディスクにおける再生信号を示す信号模式図
【図９】本発明の実施の形態２の映像信号再生装置の構成を示すブロック図
【図１０】同、飛び越し走査映像信号と順次走査映像信号の構造を示す模式図
【図１１】同、ディスク１に記録される映像信号の構造を示す信号模式図
【図１２】同、フィルム素材ディスクにおける再生信号を示す信号模式図
【図１３】同、フィルム素材ディスクにおける一致検出回路の動作を示す信号模式図
【図１４】同、第２の素材判別回路の判別方法を示すフローチャート
【図１５】同、ビデオ素材ディスクにおける再生信号を示す信号模式図
【図１６】同、フィルム素材で、一部分がビデオ信号として記録されたディスクにおける再生信号を示す信号模式図
【図１７】従来の映像信号再生装置の構成を示すブロック図
【図１８】同、飛び越し走査映像信号と順次走査映像信号の構造を示す模式図
【図１９】同、ディスク１に記録される映像信号の構造を示す信号模式図
【図２０】同、フィルム素材ディスクにおける再生信号を示す信号模式図
【図２１】同、ビデオ素材ディスクにおける再生信号を示す信号模式図
【図２２】同、フィルム素材で、一部分がビデオ信号として記録されたディスクにおける再生信号を示す信号模式図
【符号の説明】
１  ディスク
２  ピックアップ
３  ディスク回転装置
４  飛び越し走査映像信号再生回路
５  第１のメモリー
６  ＮＴＳＣエンコーダ
７  飛び越し走査映像出力端子
８  第１の素材判別回路
９  フィールドリピート信号発生回路
１０  順次走査変換回路
１１  第２のメモリー
１２  Ｄ／Ａコンバータ
１３  順次走査映像出力端子
１４  第２の素材判別回路
１５  一致検出回路
１６  第３のメモリー
１７  順次走査変換回路
１８  リピート周期信号発生回路
１９  第２の素材判別回路
【図１】
0003601330.tif 000002
【図２】
0003601330.tif 000003
【図３】
0003601330.tif 000004
【図４】
0003601330.tif 000005
【図５】
0003601330.tif 000006
【図６】
0003601330.tif 000007
【図７】
0003601330.tif 000008
【図８】
0003601330.tif 000009
【図９】
0003601330.tif 000010
【図１０】
0003601330.tif 000011
【図１１】
0003601330.tif 000012
【図１２】
0003601330.tif 000013
【図１３】
0003601330.tif 000014
【図１４】
0003601330.tif 000015
【図１５】
0003601330.tif 000016
【図１６】
0003601330.tif 000017
【図１７】
0003601330.tif 000018
【図１８】
0003601330.tif 000019
【図１９】
0003601330.tif 000020
【図２０】
0003601330.tif 000021
【図２１】
0003601330.tif 000022
【図２２】
0003601330.tif 000023